(57)【特許請求の範囲】
【請求項１】
装置前面から後面の方向に原稿の搬送経路、および／または装置後面から前面の方向に記録紙の搬送経路を有し、かつ前記装置に対して着脱自在に設けられた原稿トレイであって、
前記装置の後面方向に倒した原稿受け位置で前記原稿トレイの一部と係合し抜け止めするリブと、前記原稿トレイに設けられた前記リブと係合する係止部と、前記装置に装着される前記原稿トレイを回動可能に支持する挿入孔と、前記原稿トレイに設けられ前記挿入孔へ挿入される挿入片と、前記挿入片の端部に前記装置の前面方向に倒した記録紙充填位置で前記挿入孔と係合して抜け止めする突起とを備え、前記原稿トレイを、原稿トレイの移動する前記原稿受け位置と前記記録紙充填位置とのそれぞれで抜け止めすることを特徴とする原稿トレイ。
【請求項２】
前記装置と原稿トレイとの間に原稿を案内するガイド部を備え、前記原稿トレイを前記装置の前面方向に倒した記録紙充填位置において、搬送経路から排紙される原稿を案内して正常に搬送を行わせることを特徴とする請求項１記載の原稿トレイ。
【請求項３】
前記ガイド部により、搬送経路から排紙された原稿を案内して、装置の前面方向に倒した記録紙充填位置にある原稿トレイを前記装置の後面方向に倒した原稿受け位置へ移動させることを特徴とする請求項２記載の原稿トレイ。
【発明の詳細な説明】
【０００１】
【発明の属する技術分野】
本発明は、複写機，ファクシミリ装置等に用いられる原稿読取部の原稿トレイに関するものである。
【０００２】
【従来の技術】
従来のこの種の原稿トレイは、原稿読取部により読み取り処理がなされ排紙された原稿が搭載される。具体的には、図９に示すようなファクシミリ装置において、原稿テーブル１に搭載された原稿をピックアップコロ２とフィードローラ３によって分離搬送し、搬送経路の各部に設けられたローラ対４，５によりＣＩＳ６（Contact Image Sensor）を通過させることで、原稿上の画像情報が読み取られて、原稿トレイ７に排紙される。
【０００３】
近年、事務用機器においては、省スペースとするために小型化される傾向があり、このため設置される場所や装置の操作性に影響を与えている。図９に示すファクシミリ装置など、構造の簡略化，小型化により、読み取る原稿と受信情報を印刷した記録紙の搬送経路が逆方向で上下に位置するような場合、ファクシミリ装置の設置条件によって前面からのみの操作を行う場合など、排紙原稿を受ける原稿トレイ７を取り外して、下段側の記録紙カセット８に記録紙の充填を行っている。
【０００４】
【発明が解決しようとする課題】
しかしながら、従来の原稿トレイは、装置の取り付ける位置に係合するための凹凸が設けられ、係止されている場合がほとんどで、原稿トレイが装置から外れて落下することがあるという問題があった。
【０００５】
本発明は、前記従来技術の問題を解決することに指向するものであり、原稿トレイと装置筐体との係合部分における抜け止めを行い、かつ操作性を向上させ原稿搬送の不具合を防ぎ排紙原稿の搭載を確実に行う原稿トレイを提供することを目的とする。
【０００６】
【課題を解決するための手段】
この目的を達成するために、本発明に係る原稿トレイは、装置前面から後面の方向に原稿の搬送経路、および／または装置後面から前面の方向に記録紙の搬送経路を有し、かつ装置に対して着脱自在に設けられた原稿トレイであって、装置の後面方向に倒した原稿受け位置で原稿トレイの一部と係合し抜け止めするリブと、原稿トレイに設けられたリブと係合する係止部と、装置に装着される原稿トレイを回動可能に支持する挿入孔と、原稿トレイに設けられ挿入孔へ挿入される挿入片と、挿入片の端部に装置の前面方向に倒した記録紙充填位置で挿入孔と係合して抜け止めする突起とを備え、原稿トレイを、原稿トレイの移動する原稿受け位置と記録紙充填位置とのそれぞれで抜け止めすることを特徴とする。
【０００９】
さらに、前記装置と原稿トレイとの間に原稿を案内するガイド部を備え、原稿トレイを装置の前面方向に倒した記録紙充填位置において、搬送経路から排紙される原稿を案内して正常に搬送を行わせること、前記ガイド部により、搬送経路から排紙された原稿を案内して、装置の前面方向に倒した記録紙充填位置にある原稿トレイを装置の後面方向に倒した原稿受け位置へ移動させるように構成したものである。
【００１０】
前記構成によれば、装置から原稿トレイの抜け止めを行い、かつ原稿受け位置と記録紙充填位置の間を回動可能として原稿や記録紙の操作性を向上でき、ガイド部の案内によって原稿搬送の不具合を防止し、さらに原稿トレイを記録紙充填位置から原稿受け位置へ移動させることができる。
【００１１】
【発明の実施の形態】
以下、図面を参照して本発明における実施の形態を詳細に説明する。
【００１２】
図１（ａ）は本発明の実施の形態１における原稿トレイの正面図、図１（ｂ）は原稿トレイの着脱動作を説明する図であり、１４は装置筐体の原稿トレイが取り付けられるベース、１４ｂは原稿トレイ１５を回動可能に支持する挿入孔、１５は原稿トレイ、１５ａはベース１４に設けられたリブと係合する係止部、１５ｂは挿入孔１４ｂに挿入される挿入片、１５ｃは挿入片１５ｂの先端部に設けられる突起である。
【００１３】
図２は図１（ａ）に示すＢ−Ｂ間の部分断面図、図３（ａ）は図１（ａ）に示すＣ−Ｃ間における原稿受け位置の原稿トレイの部分断面図、図３（ｂ）は図１（ａ）に示すＣ−Ｃ間における記録紙充填位置の原稿トレイの部分断面図である。図２において、１４ａはベース１４に設けられ係止部１５ａと係合して原稿トレイ１５の抜け止めを行う抜け止め用のリブであり、図４は原稿トレイの裏面図である。
【００１４】
また、図５は本実施の形態１におけるファクシミリ装置の概略構成を示す断面図である。ここで、前記従来例を示す図９において説明した構成部材に対応し実質的に同等の機能を有するものには同一の符号を付してこれを示す。図５において、１は原稿テーブル、２はピックアップコロ、３はフィードローラ、４，５はローラ対、６はＣＩＳ、８は記録紙カセット、９は給紙ローラ、１０は感光体、１１は転写ローラ、１２は定着ローラ対、１３は排紙ローラ対、１５は原稿トレイである。
【００１５】
ここで、本実施の形態１における原稿トレイの動作を各図を参照しながらファクシミリ装置を例として説明する。まず、図５に示すファクシミリ装置の原稿読取部において、前記従来例でも説明したように、原稿テーブル１に搭載された原稿が搬送経路を搬送されＣＩＳ６を通過することによって原稿の情報が読み取られる。
【００１６】
また、画像形成部においては、受信情報あるいは読取情報を記録紙に印刷出力するため、図示していない光学系手段のビーム光により感光体１０上に静電潜像の形成がなされ、現像手段（図示せず）によりトナー像化される。次に、記録カセット８から給紙ローラ９により搬送された記録紙上に転写ローラ１１によってトナー像が転写される。その後、定着ローラ対１２によってトナー像の定着が行われ、排紙ローラ対１３により画像形成された記録紙が排紙される。
【００１７】
このように構成されるファクシミリ装置の原稿トレイ１５は、装置の後面方向に倒した原稿受け位置において、図２に示すようにベース１４のリブ１４ａと原稿トレイ１５の係止部１５ａとが係合するように構成され、装置のベース１４に装着された原稿トレイ１５はベース１４から容易に外れることはない。また原稿トレイ１５を装置の前面方向に倒した記録紙充填位置においても、図３（ｂ）に示すようにベース１４の挿入孔１４ｂと挿入片１５ｂの先端部に設けられた突起１５ｃとが係合する構成のため、容易に外れることがなく落下することを防ぐことができる。
【００１８】
また、原稿トレイ１５の落下することを防ぐ構成により、挿入孔１４ｂと挿入片１５ｂによる原稿トレイ１５のベース１４に対する回動が可能に構成できる。つまり、原稿トレイが原稿受け位置と記録紙充填位置との間を移動しても、通常移動方向とは逆の応力が生じるその両端の位置で安定してベース１４に保持される。このため、ユーザが原稿トレイ１５を記録紙充填位置に移動しても（図６参照）抜け落ちることなく、かつ記録紙カセットへの記録紙の充填を行うことが容易にできる。
【００１９】
そして、図１（ｂ）に示すように着脱動作は、原稿トレイ１５が鉛直線方向と平行になる着脱位置において、挿入孔１４ｂに対して挿入片１５ｂを上部から下部へ挿入することにより行い、離脱する場合は着脱位置において下部から上部の方向へ移動させることにより行う。
【００２０】
図７は本発明の実施の形態２におけるガイド部を設けた原稿トレイの原稿受け位置を示す斜視図であり、図８はガイド部を設けた原稿トレイの記録紙充填位置を示す斜視図である。図７，図８において、１４はベース、１５は原稿トレイ、１６は薄い板状の弾性体（例えば、マイラー；強化ポリエステルフィルム等）から成るガイド部である。
【００２１】
本実施の形態２において、ベース１４と原稿トレイ１５との間に設けたガイド部１６は、図７，図８に示すようにベース１４側で固着され原稿トレイ１５にオーバーラップするように取り付けられ、図８に示す記録紙充填位置でガイド部１６は湾曲した状態となり、搬送経路からの原稿はガイド部１６に案内されてジャムや破損することなく排紙される。
【００２２】
また、図７，図８では原稿トレイ１５を回動可能に支持する部分を覆うように、かつ原稿トレイ１５の着脱操作に支障のない長さに２つのガイド部１６として構成しているが、１つのガイド部１６の幅を大きくした形状あるいは２つ以上の複数を設けて構成してもよい。
【００２３】
さらに、原稿トレイ１５の記録紙充填位置において、例えば、ガイド部１６の厚みを０．１８８ｍｍとすることで、搬送経路から排紙される薄い用紙の原稿であってもガイド部１６の湾曲した部分と当接することによって、ガイド部１６の付勢力で原稿トレイ１５を原稿受け位置に移動させることができる。この動作においては、原稿トレイ１５の仕様（大きさ，重さ，重心位置），排出される原稿の仕様（厚さ，腰），取り付ける装置の仕様（原稿の排出角度）等により調整を要するが、記録紙充填位置を鉛直線方向に対して３０°の傾きとして、ガイド部１６の厚みを０．１２５〜０．２５ｍｍの範囲より得ることができる。
【００２４】
これにより、記録紙を充填するため原稿トレイ１５を記録紙充填位置に移動し、作業終了後に原稿受け位置へ戻すことなく次の原稿読み取り処理の開始により原稿トレイ１５は原稿受け位置へ自動的に移動されるので、原稿トレイ１５上に読み取った原稿を搭載させることができる。
【００２５】
【発明の効果】
以上説明したように、本発明によれば、原稿トレイが装置筐体から落下することを防ぎ、かつ原稿受け位置と記録紙充填位置の間を回動可能に移動させて原稿や記録紙に係る操作性を向上させると共に、ガイド部によって記録紙充填位置への原稿搬送におけるジャムや破損の不具合を防止すると共に、原稿トレイを記録紙充填位置から原稿受け位置へ移動させることができ、ユーザの使い勝手を向上できるという効果を奏する。
【図面の簡単な説明】
【図１】（ａ）は本発明の実施の形態１における原稿トレイの正面図、（ｂ）は原稿トレイの着脱動作を説明する図
【図２】本発明の実施の形態１における図１（ａ）に示すＢ−Ｂ間の部分断面図
【図３】（ａ）は本発明の実施の形態１における図１（ａ）に示すＣ−Ｃ間における原稿受け位置の原稿トレイの部分断面図で、（ｂ）は図１（ａ）に示すＣ−Ｃ間における記録紙充填位置の原稿トレイの部分断面図
【図４】本発明の実施の形態１における原稿トレイの裏面図
【図５】本発明の実施の形態１におけるファクシミリ装置の概略構成を示す断面図
【図６】本発明の実施の形態１における原稿トレイの記録紙充填位置を示す断面図
【図７】本発明の実施の形態２におけるガイド部を設けた原稿トレイの原稿受け位置を示す斜視図
【図８】本発明の実施の形態２におけるガイド部を設けた原稿トレイの記録紙充填位置を示す斜視図
【図９】従来のファクシミリ装置の概略構成を示す断面図
【符号の説明】
１  原稿テーブル
２  ピックアップコロ
３  フィードローラ
４，５  ローラ対
６  ＣＩＳ
７，１５  原稿トレイ
８  記録カセット
９  給紙ローラ
１０  感光体
１１  転写ローラ
１２  定着ローラ対
１３  排紙ローラ対
１４  ベース
１４ａ  リブ
１４ｂ  挿入孔
１５ａ  係止部
１５ｂ  挿入片
１５ｃ  突起
１６  ガイド部
【図１】
0004009744.tif 000002
【図２】
0004009744.tif 000003
【図３】
0004009744.tif 000004
【図４】
0004009744.tif 000005
【図５】
0004009744.tif 000006
【図６】
0004009744.tif 000007
【図７】
0004009744.tif 000008
【図８】
0004009744.tif 000009
【図９】
0004009744.tif 000010